(57)【要約】【課題】本体となる親バッグを立てた状態でも子バッグの位置合わせが容易であり、子バッグの取り付け・取り外しが容易なバッグセットを提供する。【解決手段】バッグセットの本体となる親バッグ１の側面に、左右一対で第１ファスナ３ａが縦方向に設けられている。子バッグ２はその左右両側に当該第１ファスナ３ａと対をなす第２ファスナ３ｂが縦方向に設けられている。親バッグ１の側面と子バッグ２の側面に、左右のファスナの中間に位置する位置決め用のマグネット４ａ、４ｂが設けられている。【選択図】図３
0003185961.tif 000002
【実用新案登録請求の範囲】
【請求項１】
本体となる親バッグと、当該親バッグの側面に取り付けられた子バッグとを有するバッグセットにおいて、前記親バッグはその側面に左右一対で第１ファスナが縦方向に設けられ、前記子バッグはその左右両側に前記第１ファスナと対をなす第２ファスナが縦方向に設けられ、かつ、前記親バッグの側面と子バッグの側面に、前記左右のファスナの中間に位置する位置決め用のマグネットが設けられていることを特徴とするバッグセット。
【考案の詳細な説明】
【技術分野】
【０００１】
本考案は、親バッグと子バッグで構成されたバッグセットに関する。
【背景技術】
【０００２】
従来、外出時にバッグを１つだけ持って出掛けると、外出先で荷物を２つに分けて持ち運んだりしたい場合に不便である。予備のバッグをあらかじめ用意しておけばよいが、忘れることもよくある。また、バッグの中に予備のバッグを入れておくと中身が嵩張ってしまい、本来入れたい荷物の量が制限される。
【０００３】
一方、旅行用のトランクなどでは、特許文献１（実用新案登録第３００９７８４号公報）のように、トランク側面にファスナやボタンで小バッグを着脱自在に取り付けるようにしたものがある。このように小バッグを着脱自在に取り付けておけば、トランクから小物を取り出して小バッグに入れて持ち運べるので便利である。
【先行技術文献】
【特許文献】
【０００４】
【特許文献１】実用新案登録第３００９７８４号公報
【考案の概要】
【考案が解決しようとする課題】
【０００５】
特許文献１のように、ファスナやボタンで小バッグを取り付ける場合、小バッグをトランク側面の所定位置に位置合わせした状態でファスナやボタンを留める必要がある。トランクを水平に置くことが出来れば取り付け作業もそれほど困難ではないが、トランクを立てたままでは位置合わせが難しい。また、ファスナを小バッグの全周に引き回すのは面倒である。小バッグを固定するにはファスナを左右一対で設ければ十分である。
【０００６】
本考案の目的は、本体となる親バッグを立てた状態でも子バッグの位置合わせが容易であり、またファスナを必要最低限にして子バッグの取り付け・取り外しを容易にしたバッグセットを提供することにある。
【課題を解決するための手段】
【０００７】
前記課題を解決するために、本考案は、本体となる親バッグと、当該親バッグの側面に取り付けられた子バッグとを有するバッグセットにおいて、前記親バッグはその側面に左右一対で第１ファスナが縦方向に設けられ、前記子バッグはその左右両側に前記第１ファスナと対をなす第２ファスナが縦方向に設けられ、かつ、前記親バッグの側面と子バッグの側面に、前記左右のファスナの中間に位置する位置決め用のマグネットが設けられていることを特徴とするバッグセットである。
【考案の効果】
【０００８】
本考案によれば、親バッグの側面と子バッグの側面にマグネットが設けられているので、親バッグを立てた状態でも子バッグを親バッグの側面にマグネットにより容易に位置決めすることができ、また、ファスナを子バッグの全周ではなく左右一対で設けているので、子バッグの取り付け・取り外しが容易である。
【図面の簡単な説明】
【０００９】
【図１】本考案の実施形態に係るバッグセットの斜視図である。
【図２】本考案の実施形態に係るバッグセットの要部正面図である。
【図３】本考案の実施形態に係るバッグセットの親子を分離する途中の斜視図である。
【図４】本考案の実施形態に係るバッグセットの親子を分離して子バッグをショルダーバッグとして使用した状態の斜視図である。
【図５】図２のマグネット部分を示すＶ−Ｖ線断面図である。
【考案を実施するための形態】
【００１０】
以下、図面を参照して本考案の実施形態を説明する。図１は本考案の実施形態に係るバッグセットの斜視図である。親バッグ１としての手提げバッグの片側側面に、子バッグ２としてのクラッチバッグが取り付けられている。図示例では親バッグ１を手提げバッグとして構成し、子バッグ２をクラッチバッグとして構成してあるが、両バッグとも、手提げバッグやクラッチバッグに限定はされない。親バッグ１と子バッグ２は任意のバッグの形態にしていっこうに差し支えない。また、図４のように子バッグ２に着脱自在なベルトを取り付けてショルダーバッグとして使用するようにしてもよい。
【００１１】
親バッグ１の側面に、図２と図３に示すように、左右一対でファスナ３ａ、３ａが縦方向に設けられている。また、子バッグ２の左右両端に、前記ファスナ３ａ、３ａと対をなすファスナ３ｂ、３ｂが、縦縁に沿って設けられている。ファスナ３ａと３ｂを結合して子バッグ２を親バッグ１に取り付けた状態では、図１のように、ファスナ３ａ、３ｂが殆ど目立たない。また、親バッグ１と子バッグ２でバッグ地の種類とデザイン柄を統一してある。このため、子バッグ２が親バッグ１の一部であるかのように一体的にまとった外観とされている。
【００１２】
親バッグ１の側面と子バッグ２の側面に、図２と図３に示すように、左右のファスナ３ａ、３ａの中間位置にマグネット４ａ、４ｂが設けられている。このマグネット４ａ、４ｂは表面から直接見えないように、図５のようにバッグ地に埋め込まれている。マグネット４ａ、４ｂは、両方ともマグネットにしてもよいが、一方はマグネットで他方は磁性体としてもよい。
【００１３】
本考案のバッグセットはこのように親バッグ１と子バッグ２の側面にマグネット４ａ、４ｂを設けてあるので、親バッグ１の側面に対する子バッグ２の位置合わせが容易である。つまり、図３のように親バッグ１を立てた状態では、子バッグ２を親バッグ１に取り付けようして左右のファスナ３ａ、３ｂの位置合わせをしようとする時、マグネット４ａ、４ｂがないと位置合わせに両手を使わないといけないので、手がふさがってファスナ３ａ、３ｂの留め合わせが難しい。
【００１４】
しかし、本考案はマグネット４ａ、４ｂがあるので、子バッグ２をワンタッチで親バッグ１の側面に容易に位置合わせすることができる。この位置合わせした状態で、左右のファスナ４ａ、４ｂを順に留めていけばよい。ファスナ４ａ、４ｂは左右一対で必要最低限であるから、子バッグ２の取り付け・取り外しが容易である。また、左右のファスナ４ａ、４ｂの間では子バッグ２の側面と親バッグ１の側面との間に隙間が出来るが、図５のようにマグネット４ａ、４ｂがあるので、当該隙間が大きく開くことがない。
【００１５】
以上、本考案の実施形態について説明したが、本考案は前記実施形態に限定されることなく、実用新案登録請求の範囲に記載された技術的思想の範囲内で種々の変形が可能であることは勿論である。例えばマグネットは左右のファスナの間に１つで設けたが、２つ以上複数で設けてもよい。マグネットの数が増えれば位置合わせの固定力もそれだけ高まるので、子バッグの中身が多少重くても不都合なく位置合わせを行うことができる。
【符号の説明】
【００１６】
１：親バッグ
２：子バッグ
３ａ、３ｂ：ファスナ
４ａ、４ｂ：マグネット
【図１】
0003185961.tif 000003
【図２】
0003185961.tif 000004
【図３】
0003185961.tif 000005
【図４】
0003185961.tif 000006
【図５】
0003185961.tif 000007